(57)【特許請求の範囲】
【請求項１】
シャッタ開閉手段の駆動により入金口シャッタを開閉し、投入された硬貨を硬貨投入口ガイドによりガイドして硬貨ホッパに収納し計数処理する硬貨処理装置において、
前記シャッタ開閉手段の駆動により前記硬貨投入口ガイドを振動させる振動手段を備え、
前記振動手段は、
前記入金口シャッタの裏側に設けた波型部と、
前記硬貨投入口ガイドに前記波型部と当接する波型部受けとを有し、
前記入金口シャッタを移動するときの前記波型部と前記波型部受けの接離により前記硬貨投入口ガイドを振動させるようにしたことを特徴とする現金処理装置。
【発明の詳細な説明】
【技術分野】
【０００１】
本発明は、シャッタが開閉する硬貨投入口を備え投入された硬貨の入金処理を行う現金処理装置に関するものである。
【背景技術】
【０００２】
一般に、銀行等の金融機関の窓口に備えられる現金処理装置は、現金の入出金を行う機能を有しており、図１０に示したような外観を呈している。そして、上側の硬貨部２の硬貨入金口３には、モータ等で駆動される自動開閉可能な入金口シャッタ３ｓを備え、計数動作中はこの入金口シャッタ３ｓを閉じて誤投入を防止するようになっている（例えば、特許文献１参照）。
【０００３】
そして、図１１の装置前面の断面図に示したような構造の場合では、同図（ａ）に示したように、矢印Ｌａ、Ｌｂのように硬貨入金口３から投入された硬貨８は、装置内部に備えた硬貨ホッパ１１に集積され、計数動作の開始により回転盤１０を回転させ硬貨８をならしながら硬貨ホッパ１１内の硬貨８を順次繰り出し、認識および計数が行われる。
【０００４】
このような構造の場合では、通常、硬貨入金口３の開口部は、利便性を考慮して、硬貨ホッパ１１より硬貨入金口３の開口部を大きめにし、硬貨入金口３から硬貨ホッパ１１までを中継する漏斗状の硬貨投入ガイド１２を装備している。
【０００５】
そして、硬貨投入ガイド１２の傾斜を大きくすればするほど、硬貨投入ガイド１２上に落下した硬貨８は硬貨投入ガイド１２から硬貨ホッパ１１に滑り落ち、図１１（ｂ）に示したように硬貨投入ガイド１２上に残留硬貨８ｘとして残留する可能性は減少する。
【先行技術文献】
【特許文献】
【０００６】
【特許文献１】特開平０９−２３１４４４号公報
【発明の概要】
【発明が解決しようとする課題】
【０００７】
しかしながら、省スペース化の要望から装置高さが制限され、硬貨投入ガイド１２の傾斜を大きくすることができず、図１１（ａ）の矢印Ｌｂのように硬貨入金口３から投入された硬貨８は傾斜の少ない硬貨投入ガイド１２上のキズや汚れ等に投入した硬貨８が引っかかり、図１１（ｂ）のように残留硬貨８ｘとして残留してしまい、硬貨投入ガイド１２上に残留した硬貨８ｘは計数されないので現金違算が発生してしまうという問題があった。
【課題を解決するための手段】
【０００８】
本発明は、前述の課題を解決するため次の構成を採用する。すなわち、シャッタ開閉手段の駆動により入金口シャッタを開閉し、投入された硬貨を硬貨投入口ガイドによりガイドして硬貨ホッパに収納し計数処理する硬貨処理装置において、前記シャッタ開閉手段の駆動により前記硬貨投入口ガイドを振動させる振動手段を備え、前記振動手段は、前記入金口シャッタの裏側に設けた波型部と、前記硬貨投入口ガイドに前記波型部と当接する波型部受けとを有し、前記入金口シャッタを移動するときの前記波型部と前記波型部受けの接離により前記硬貨投入口ガイドを振動させるようにした。
【発明の効果】
【０００９】
本発明の硬貨処理装置によれば、シャッタ開閉手段の駆動により入金口シャッタを開閉し、投入された硬貨を硬貨投入口ガイドによりガイドして硬貨ホッパに収納し計数処理する硬貨処理装置において、前記シャッタ開閉手段の駆動により前記硬貨投入口ガイドを振動させる振動手段を備え、前記振動手段は、前記入金口シャッタの裏側に設けた波型部と、前記硬貨投入口ガイドに前記波型部と当接する波型部受けとを有し、前記入金口シャッタを移動するときの前記波型部と前記波型部受けの接離により前記硬貨投入口ガイドを振動させるようにしたので、硬貨高さが制限され硬貨投入口ガイドの傾斜が小さい場合であっても、投入された硬貨が硬貨投入口ガイドに残留しないようにすることができる。
【図面の簡単な説明】
【００１０】
【図１】実施例１の現金処理装置の要部構成図である。
【図２】実施例１の現金処理装置の要部構成図である。
【図３】実施例１の現金処理装置の要部構成図および動作説明図である。
【図４】実施例１の現金処理装置の動作説明図である。
【図５】実施例１の現金処理装置の動作説明図である。
【図６】実施例２の現金処理装置の要部構成図である。
【図７】実施例２の現金処理装置の要部構成図および動作説明図である。
【図８】実施例２の現金処理装置の変形例１を説明する図である。
【図９】実施例２の現金処理装置の変形例２を説明する図である。
【図１０】現金処理装置の外観斜視図である。
【図１１】従来の現金処理装置の硬貨入金口周辺の構成図および動作説明である。
【発明を実施するための形態】
【００１１】
以下、本発明に係わる実施の形態例を、図面を用いて説明する。なお、図面に共通する要素には同一の符号を付す。
【実施例１】
【００１２】
（構成）
実施例１の現金処理装置の外観構成は、従来の現金処理装置と同様であり、図１０に示したような構成となっている。
【００１３】
すなわち、実施例１の現金処理装置は、装置上側に硬貨を取扱う硬貨部２が備えられ、下側に紙幣を取扱う紙幣部４が備えられている。そして、硬貨部２の上部には矢印ＡおよびＢ方向に開閉する入金口シャッタ３ｓを備えた硬貨を投入する硬貨入金口３が設けられており、装置前面側には硬貨の出金を行う硬貨出金口５が設けられている。また、紙幣部４の装置前面側には、紙幣の投入および出金を行う紙幣入出金口６が備えられている。
【００１４】
そして、実施例１の現金処理装置１の硬貨入金口３の近傍の構成は、図１のようになっており、硬貨入金口３の上側には入金口シャッタ３ｓが備えられており、その下側に硬貨投入口ガイド１２が備えられ、その下側に硬貨ホッパ１１が備えられている。
【００１５】
さらに、入金口シャッタ３ｓの開閉を行うためのシャッタ開閉モータ１４、その同軸上に後述の図３、図４に示したようなハンマ駆動カム１５が備えられ、ハンマ駆動カム１５に当接するようにバネ１３ｂにより矢印Ｆ方向に付勢された振動ハンマ１３が支点１３ｃを支点として回動可能に取り付けられている。そして、振動ハンマ１３の先端にはハンマ先端部１３ａが備えられている。また、ハンマ駆動カム１５とシャッタ開閉モータ１４の軸とは矢印Ｅ方向にのみ回転するワンウェイベアリングにより連結されている。
【００１６】
また、硬貨投入ガイド１２と硬貨入金口３の筐体との間に、緩衝シート１６が設けられており、後述の振動ハンマ１３により硬貨投入ガイド１２の下側を叩いたときの衝撃を吸収できるようになっている。
【００１７】
また、シャッタ開閉モータ１４と同軸上には、ドライブプーリ２１が取り付けられており、図２に示したように、ドライブプーリ２１とアイドルプーリ２２によりシャッタ駆動ベルト２３が回転駆動され、テンションプーリ２５により、シャッタ駆動ベルト２３のテンションが調整される構成となっている。
【００１８】
また、シャッタ駆動ベルト２３と入金口シャッタ３ｓは、ベルト連結部２４により連結されており、シャッタ開閉モータ１４の回転駆動によりドライブプーリ２１を介してシャッタ駆動ベルト２３が移動し入金口シャッタ３ｓが矢印ＡおよびＢ方向に移動する構成となっている。
【００１９】
（動作）
以上の構成により実施例１の現金処理装置は、以下のように動作する。この動作を、前述の図１および図２の構成図、並びに図３ないし図５の動作説明図を用いて以下詳細に説明する。
【００２０】
まず、操作者が硬貨の入金処理を起動すると、準備動作として、シャッタ開閉モータ１４を図２矢印Ｃ方向に回転駆動させる。すると、シャッタ駆動ベルト２３が矢印Ｂ方向に移動しベルト連結部２４により連結された入金口シャッタ３ｓが矢印Ｂ方向に移動して硬貨入金口３が開く。
【００２１】
このとき、シャッタ開閉モータ１４の同軸上に設けられたハンマ駆動カム１５は、ワンウェイベアリングにより空転し、振動ハンマ１３の位置は変化しない。
【００２２】
そして、操作者が、入金口シャッタ３ｓが開いた硬貨入金口３から硬貨を投入し、硬貨の入金計数開始を指示すると、シャッタ開閉モータ１４を図２矢印Ｄ方向に回転駆動させる。すると、シャッタ駆動ベルト２３が矢印Ａ方向に移動しベルト連結部２４により連結された入金口シャッタ３ｓも矢印Ａ方向に移動して硬貨入金口３が閉じた後、硬貨の計数を開始する。
【００２３】
このシャッタが閉じるとき、シャッタ開閉モータ１４の同軸上に設けられたハンマ駆動カム１５は、ワンウェイベアリングにより矢印Ｅ方向に回転し、図３および図４のように振動ハンマ１３を矢印Ｊおよび矢印Ｋのように上下に移動させて、矢印Ｊ方向に移動したときに、硬貨投入口ガイド１２の底を叩く。
【００２４】
そして、入金口シャッタ３ｓが閉位置に到達するまでに、ハンマ駆動カム１５は数回回転し、上記動作が数回継続され、硬貨投入口ガイド１２が振動する。
【００２５】
すると、図５に示したように、硬貨投入口ガイド１２に引っ掛かり残留していた残留硬貨８ｘが振動によりずり落ち、矢印Ｌｃのように硬貨ホッパ１１内に落下する。
【００２６】
このとき、硬貨投入ガイド１２と硬貨入金口３の筐体との間には緩衝シート１６が設けられているので、硬貨投入口ガイド１２の底が振動ハンマ１３によって叩かれたときの衝撃が吸収され筐体には伝わらない。
【００２７】
以上の実施例１の説明では、ハンマ駆動カム１５をワンウェイベアリングにより一方向のみに回転するように説明したが、いずれの方向にも回転させ、入金口シャッタ３ｓが開くときにも硬貨投入ガイド１２を振動ハンマ１３により叩いて振動させるようにしてもよい。
【００２８】
（実施例１の効果）
以上のように実施例１の硬貨処理装置によれば、シャッタ開閉モータにより回転するハンマ駆動カムと、前記ハンマ駆動カム近傍に、回動可能に取り付けられた振動ハンマと、を備え、入金口シャッタを閉じるときの前記ハンマ駆動カムの回転により前記振動ハンマを硬貨投入ガイドと接離させ、硬貨投入ガイドを叩いて振動を発生させるようにしたので、装置高さが制限され硬貨投入ガイドの傾斜が小さい場合であっても、投入された硬貨が硬貨投入ガイドに残留しないようすることができる。
【実施例２】
【００２９】
（構成）
実施例２の現金処理装置の外観構成は、実施例１と同様、図１０に示した従来の現金処理装置と同様であるので、簡略化のためにその詳細な説明を省略する。
【００３０】
実施例２の現金処理装置１の硬貨入金口３の近傍の構成は、図６および図７に示したようになっており、実施例１の振動ハンマ１３、ハンマ駆動カム１５の代わりに、入金口シャッタ３ｓの裏側に波型レール３２を、硬貨投入口ガイド１２に波型受け３１を備える。その他の構成は、実施例１と同様であるので、簡略化のためにその詳細な説明は省略する。
【００３１】
（動作）
以上の構成により実施例２の現金処理装置は、以下のように動作する。この動作を図７の動作説明図を用いて以下詳細に説明する。
【００３２】
まず、操作者が硬貨の入金処理を開始すると、シャッタ開閉モータ１４を前述図２と同様に矢印Ｃ方向に回転駆動させる。すると、シャッタ駆動ベルト２３が矢印Ｂ方向に移動しベルト連結部２４により連結された入金口シャッタ３ｓが矢印Ｂ方向に移動して硬貨入金口３が開く。
【００３３】
このとき、入金口シャッタ３ｓの裏側に備えられた波型レール３２と、硬貨投入口ガイド１２に備えられた波型受け３１が当接し、波形状に沿って波型受け３１が矢印ＭおよびＮ方向に移動し、硬貨投入口ガイド１２に振動が発生する。
【００３４】
すなわち、波型レール３２の谷位置に波型受け３１が位置したときは図７（ａ）のように矢印Ｍ方向に硬貨投入ガイド１２が移動し、波型レール３２の山位置に波型受け３１が位置したときは図７（ｂ）のように矢印Ｎ方向に硬貨投入ガイド１２が移動し、入金口シャッタ３ｓの移動によりこれが繰り返されて硬貨投入ガイド１２に振動が発生する。
【００３５】
そして、操作者が、入金口シャッタ３ｓが開いた硬貨入金口３から硬貨を投入し、硬貨の入金計数開始を指示すると、シャッタ開閉モータ１４を前述図２と同様に矢印Ｄ方向に回転駆動させる。すると、シャッタ駆動ベルト２３が矢印Ａ方向に移動しベルト連結部２４により連結された入金口シャッタ３ｓも矢印Ａ方向に移動して硬貨入金口３が閉じた後、硬貨の計数を開始する。
【００３６】
このシャッタが閉じるときも、入金口シャッタ３ｓを開くときと同様に、入金口シャッタ３ｓの裏側に備えられた波型レール３２と、硬貨投入口ガイド１２に備えられた波型受け３１が当接し、波形状に沿って波型受け３１が移動し、硬貨投入口ガイド１２に振動が発生する。
【００３７】
すると、実施例１の図５と同様に、硬貨投入口ガイド１２に引っ掛かり残留していた残留硬貨８ｘが振動によりずり落ち、矢印Ｌのように硬貨ホッパ１１内に落下する。
【００３８】
なお、実施例１と同様に、硬貨投入口ガイド１２が振動する衝撃を緩衝シート１６により吸収させて筐体に衝撃が伝わらないようにするのがよい。
【００３９】
以上の実施例２の説明では、波型レール３２のように一定の波形状とした例を示したが、図８に示したような波形状とし、矢印Ａ方向若しくはＢ方向、または矢印Ｍ方向若しくはＮ方向に振動を加え、硬貨投入口ガイド１２に残留する残留硬貨を確実に硬貨ホッパに落下させようにしてもよい。
【００４０】
或いは、図９に示したような波形状とし、矢印Ａ方向若しくはＢ方向、または矢印Ｍ方向若しくはＮ方向に複数種類の振幅、周期の振動を発生させるようにすることにより、他種の大きさ、重さの硬貨に対しても、適切な振動を加え、硬貨投入口ガイド１２に残留することなく確実に硬貨ホッパに落下させるようにしてもよい。
【００４１】
（実施例２の効果）
以上のように実施例２の現金処理装置によれば、入金口シャッタの裏側に波型レールを備え、硬貨投入口ガイドに前記波型レールと当接する波型受けを設け、前記入金口シャッタを開閉するときの前記波型レールと波型受けの接離により前記硬貨投入口ガイドを振動させるようにしたので、追加する部材を最小限とし、実施例１と同様、装置高さが制限され硬貨投入ガイドの傾斜が小さい場合であっても、投入した硬貨が硬貨投入ガイドに残留しないようすることができる。
【００４２】
《その他の変形例》
以上の実施例の説明では、ベルトを使用したシャッタ開閉機構に本発明を適用する例を説明したが、ギヤ構成により入金口シャッタを開閉する機構であっても本発明を容易に適用することができる。
【産業上の利用可能性】
【００４３】
以上述べたように、本発明は、入金口シャッタが開閉する硬貨投入口を備え投入された硬貨の入金処理を行う現金処理装置に広く用いることができる。
【符号の説明】
【００４４】
１    硬貨処理装置
２    硬貨部
３    硬貨入金口
３ｓ  入金口シャッタ
８    硬貨
８ｘ  残留硬貨
１１  硬貨ホッパ
１２  硬貨投入口ガイド
１３  振動ハンマ
１３ａ  ハンマ先端部
１３ｃ  支点
１４  シャッタ開閉モータ
１５  ハンマ駆動カム
１６  緩衝シート
２３  シャッタ駆動ベルト
２４  ベルト連結部
３１  波型受け
３２、３２ａ、３２ｂ  波型レール
【図１】
0005477045.tif 000002
【図２】
0005477045.tif 000003
【図３】
0005477045.tif 000004
【図４】
0005477045.tif 000005
【図５】
0005477045.tif 000006
【図６】
0005477045.tif 000007
【図７】
0005477045.tif 000008
【図８】
0005477045.tif 000009
【図９】
0005477045.tif 000010
【図１０】
0005477045.tif 000011
【図１１】
0005477045.tif 000012